(57)【特許請求の範囲】
【請求項１】
指定された選局番号に対応して放送信号を受信する受信装置において、
同一の前記選局番号に対応する複数の放送信号に対し、前記複数の放送信号を区別するための枝番号を付与する付与手段と、
前記複数の放送信号に対応している前記選局番号が指定されたことに対応して、前記複数の放送信号にそれぞれ対応する前記枝番号を含む複数の放送信号情報を画面上に表示させる表示手段と、
前記画面上に表示された、前記複数の放送信号にそれぞれ対応する前記複数の放送信号情報のいずれかを選択する選択手段と、
前記複数の放送信号情報のうち、選択された放送信号情報に対応する放送信号を受信する受信手段と、
前記複数の放送信号情報のいずれかが選択される際の選択頻度を計測する計測手段と
を含み、
前記付与手段は、同一の前記選局番号に対応する複数の放送信号に対し、受信状態に対応して枝番号を付与し、
前記複数の放送信号に対応している前記選局番号が指定されたことに対応して、
前記受信手段は、前記選択頻度の最も高い前記放送信号情報に対応する放送信号を受信し、
前記表示手段は、受信された前記放送信号の画面に重畳して、前記複数の放送信号情報を、前記枝番号に対応する順序であって、且つ、前記選択頻度の最も高い前記放送信号情報が選択された状態で、前記選択頻度の最も高い前記放送信号情報が選択されていることを示す選択情報とともに表示させる
受信装置。
【請求項２】
前記受信手段によって受信された前記放送信号に対し、受信状態に対応してノイズ除去処理を行うノイズ除去手段を
さらに含む請求項１に記載の受信装置。
【請求項３】
指定された選局番号に対応して放送信号を受信する受信装置の受信方法において、
同一の前記選局番号に対応する複数の放送信号に対し、前記複数の放送信号を区別するための枝番号を付与する付与ステップと、
前記複数の放送信号に対応している前記選局番号が指定されたことに対応して、前記複数の放送信号にそれぞれ対応する前記枝番号を含む複数の放送信号情報を画面上に表示させる表示ステップと、
前記画面上に表示された、前記複数の放送信号にそれぞれ対応する前記複数の放送信号情報のいずれかを選択する選択ステップと、
前記複数の放送信号情報のうち、選択された放送信号情報に対応する放送信号を受信する受信ステップと、
前記複数の放送信号情報のいずれかが選択される際の選択頻度を計測する計測ステップと
を含み、
前記付与ステップは、同一の前記選局番号に対応する複数の放送信号に対し、受信状態に対応して枝番号を付与し、
前記複数の放送信号に対応している前記選局番号が指定されたことに対応して、
前記受信ステップは、前記選択頻度の最も高い前記放送信号情報に対応する放送信号を受信し、
前記表示ステップは、受信された前記放送信号の画面に重畳して、前記複数の放送信号情報を、前記枝番号に対応する順序であって、且つ、前記選択頻度の最も高い前記放送信号情報が選択された状態で、前記選択頻度の最も高い前記放送信号情報が選択されていることを示す選択情報とともに表示させる
受信方法。
【請求項４】
指定された選局番号に対応して放送信号を受信するためのプログラムにおいて、
同一の前記選局番号に対応する複数の放送信号に対し、前記複数の放送信号を区別するための枝番号を付与する付与ステップと、
前記複数の放送信号に対応している前記選局番号が指定されたことに対応して、前記複数の放送信号にそれぞれ対応する前記枝番号を含む複数の放送信号情報を画面上に表示させる表示ステップと、
前記画面上に表示された、前記複数の放送信号にそれぞれ対応する前記複数の放送信号情報のいずれかを選択する選択ステップと、
前記複数の放送信号情報のうち、選択された放送信号情報に対応する放送信号を受信する受信ステップと、
前記複数の放送信号情報のいずれかが選択される際の選択頻度を計測する計測ステップと
を含み、
前記付与ステップは、同一の前記選局番号に対応する複数の放送信号に対し、受信状態に対応して枝番号を付与し、
前記複数の放送信号に対応している前記選局番号が指定されたことに対応して、
前記受信ステップは、前記選択頻度の最も高い前記放送信号情報に対応する放送信号を受信し、
前記表示ステップは、受信された前記放送信号の画面に重畳して、前記複数の放送信号情報を、前記枝番号に対応する順序であって、且つ、前記選択頻度の最も高い前記放送信号情報が選択された状態で、前記選択頻度の最も高い前記放送信号情報が選択されていることを示す選択情報とともに表示させる
処理をコンピュータに実行させるためのプログラム。
【発明の詳細な説明】
【技術分野】
【０００１】
本発明は、受信装置および方法、並びにプログラムに関し、例えば、同一のリモートコントロールキーＩＤに対応する、異なる複数のトランスポートストリームのうち、所望のものを速やかに受信するようにした受信装置および方法、並びにプログラムに関する。
【背景技術】
【０００２】
日本国内におけるテレビジョン放送は、従来のアナログ地上波を利用するものに代わって、地上デジタル波を利用するもの（以下、地上デジタルテレビジョン放送と記述する）に移行される。
【０００３】
地上デジタルテレビジョン放送を受信するための従来提案されている受信装置は、リモートコントローラ（以下、リモコンと略記する）のテンキーと、それらが押下されたときに受信される放送局とが、受信装置が設置される地域毎に対応付けられている。例えば、地域ａに設置される受信装置では、リモコンの「１」キーに○○放送からのトランスポートストリーム（以下、ＴＳと記述する）が対応付けられ、地域ｂに設置される受信装置では、リモコンの「１」キーにテレビ△△放送からのＴＳが対応付けられ、地域ｃに設置される受信装置では、リモコンの「１」キーに□□放送からのＴＳが対応付けられている。
【０００４】
ところで、地域ａ，ｂ，ｃに隣接する地域ｄでは、その辺境部において、地域外の○○放送、テレビ△△放送、あるいは□□放送からのＴＳを受信できる可能性があるので、地域ｄに設置される受信装置では、リモコンの「１」キーに○○放送からのＴＳ、テレビ△△放送からのＴＳ、および□□放送からのＴＳの３種類のＴＳが対応付けられている。
【０００５】
そして、リモコンの「１」キーが押下された場合には、図１に示す画面１の表示例のように、対応する３種類のＴＳの情報（リモコンキーに基づいて算出される３桁番号、地域ｄにおいて予め決定されている枝番号、およびＴＳ名）が枝番号の順序に従って表示され、さらに、それらを選択するためのカーソル２等が表示されるようになされており、ユーザがカーソル２を移動させると、カーソル２によって指示されたＴＳが受信されるようになされている。
【０００６】
なお、カーソル２を用いず、枝番号を入力することによって受信するＴＳを選択する方法も存在する（例えば、特許文献１参照）。
【０００７】
【特許文献１】特開２００２−２３２７９６号公報
【発明の開示】
【発明が解決しようとする課題】
【０００８】
上述したように、同一のリモコンキーに複数のＴＳが対応付けられている場合、当該複数のＴＳには枝番号が付与されるが、この枝番号は地域ｄに対応して予め決定されたものであるので、ユーザが所望のＴＳを選局するために手間がかかるという課題があった。具体的には、例えば、図１に示された場合において、ユーザが□□放送の受信を指示するには、選局毎に、リモコンの「１」キーを押下し、さらにカーソル２を移動して□□放送を選択する必要があり、操作が面倒であるという課題があった。
【０００９】
本発明はこのような状況に鑑みてなされたものであり、同一のリモコンキーに対応付けられている複数のＴＳのうち、所望のものを速やかに選択できるようにすることを目的とする。
【課題を解決するための手段】
【００１０】
本発明の受信装置は、同一の選局番号に対応する複数の放送信号に対し、複数の放送信号を区別するための枝番号を付与する付与手段と、複数の放送信号に対応している選局番号が指定されたことに対応して、複数の放送信号にそれぞれ対応する枝番号を含む複数の放送信号情報を画面上に表示させる表示手段と、画面上に表示された、複数の放送信号にそれぞれ対応する複数の放送信号情報のいずれかを選択する選択手段と、複数の放送信号情報のうち、選択された放送信号情報に対応する放送信号を受信する受信手段と、複数の放送信号情報のいずれかが選択される際の選択頻度を計測する計測手段とを含み、付与手段は、同一の選局番号に対応する複数の放送信号に対し、受信状態に対応して枝番号を付与し、複数の放送信号に対応している選局番号が指定されたことに対応して、受信手段は、選択頻度の最も高い放送信号情報に対応する放送信号を受信し、表示手段は、受信された放送信号の画面に重畳して、複数の放送信号情報を、枝番号に対応する順序であって、且つ、選択頻度の最も高い放送信号情報が選択された状態で、選択頻度の最も高い放送信号情報が選択されていることを示す選択情報とともに表示させる。
【００１１】
前記付与手段は、同一の選局番号に対応する複数の放送信号に対し、受信状態に対応して枝番号を付与するようにすることができる。
【００１３】
本発明の受信装置は、受信手段によって受信された放送信号に対し、受信状態に対応してノイズ除去処理を行うノイズ除去手段をさらに含むことができる。
【００１４】
本発明の受信方法は、同一の選局番号に対応する複数の放送信号に対し、複数の放送信号を区別するための枝番号を付与する付与ステップと、複数の放送信号に対応している選局番号が指定されたことに対応して、複数の放送信号にそれぞれ対応する枝番号を含む複数の放送信号情報を画面上に表示させる表示ステップと、画面上に表示された、複数の放送信号にそれぞれ対応する複数の放送信号情報のいずれかを選択する選択ステップと、複数の放送信号情報のうち、選択された放送信号情報に対応する放送信号を受信する受信ステップと、複数の放送信号情報のいずれかが選択される際の選択頻度を計測する計測ステップとを含み、付与ステップは、同一の選局番号に対応する複数の放送信号に対し、受信状態に対応して枝番号を付与し、複数の放送信号に対応している選局番号が指定されたことに対応して、受信ステップは、選択頻度の最も高い放送信号情報に対応する放送信号を受信し、表示ステップは、受信された放送信号の画面に重畳して、複数の放送信号情報を、枝番号に対応する順序であって、且つ、選択頻度の最も高い放送信号情報が選択された状態で、選択頻度の最も高い放送信号情報が選択されていることを示す選択情報とともに表示させる。
【００１５】
本発明のプログラムは、同一の選局番号に対応する複数の放送信号に対し、複数の放送信号を区別するための枝番号を付与する付与ステップと、複数の放送信号に対応している選局番号が指定されたことに対応して、複数の放送信号にそれぞれ対応する枝番号を含む複数の放送信号情報を画面上に表示させる表示ステップと、画面上に表示された、複数の放送信号にそれぞれ対応する複数の放送信号情報のいずれかを選択する選択ステップと、複数の放送信号情報のうち、選択された放送信号情報に対応する放送信号を受信する受信ステップと、複数の放送信号情報のいずれかが選択される際の選択頻度を計測する計測ステップとを含み、付与ステップは、同一の選局番号に対応する複数の放送信号に対し、受信状態に対応して枝番号を付与し、複数の放送信号に対応している選局番号が指定されたことに対応して、受信ステップは、選択頻度の最も高い放送信号情報に対応する放送信号を受信し、表示ステップは、受信された放送信号の画面に重畳して、複数の放送信号情報を、枝番号に対応する順序であって、且つ、選択頻度の最も高い放送信号情報が選択された状態で、選択頻度の最も高い放送信号情報が選択されていることを示す選択情報とともに表示させる処理をコンピュータに実行させる。
【００１６】
本発明の受信装置および方法、並びにプログラムにおいては、同一の選局番号に対応する複数の放送信号に対して、複数の放送信号を区別するための枝番号が付与され、複数の放送信号に対応している選局番号が指定されたことに対応して、複数の放送信号にそれぞれ対応する枝番号を含む複数の放送信号情報が画面上に表示される。そして、複数の放送信号にそれぞれ対応する複数の放送信号情報のいずれかが選択され、選択された放送信号情報に対応する放送信号が受信される。また、同一の選局番号に対応する複数の放送信号に対し、受信状態に対応して枝番号が付与され、複数の放送信号に対応している選局番号が指定されたことに対応して、選択頻度の最も高い放送信号情報に対応する放送信号が受信され、受信された放送信号の画面に重畳して、複数の放送信号情報が、枝番号に対応する順序であって、且つ、選択頻度の最も高い放送信号情報が選択された状態で、選択頻度の最も高い放送信号情報が選択されていることを示す選択情報とともに表示される。
【発明の効果】
【００１７】
本発明によれば、同一のリモコンキーに対応付けられている複数のＴＳのうち、所望のものを速やかに選択することが可能となる。
【発明を実施するための最良の形態】
【００１８】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。したがって、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００２０】
本発明によれば、受信装置が提供される。この受信装置（例えば、図２の受信装置１０）は、同一の選局番号（例えば、リモートコントロールキーＩＤ）に対応する複数の放送信号（例えば、トランスポートストリーム）に対し、複数の放送信号を区別するための枝番号を付与する付与手段（例えば、図４のステップＳ２の処理を行う制御部１１）と、複数の放送信号に対応している選局番号が指定されたことに対応して、複数の放送信号にそれぞれ対応する枝番号を含む複数の放送信号情報（図１の３桁番号、枝番号、ＴＳ名）を画面上に表示させる表示手段（例えば、図５のステップＳ１３の処理を行う制御部１１）と、画面上に表示された、複数の放送信号にそれぞれ対応する複数の放送信号情報のいずれかを選択する選択手段（例えば、図６のカーソル４２を表示させる図２の制御部１１）と、複数の放送信号情報のうち、選択された放送信号情報に対応する放送信号を受信する受信手段（例えば、図５のステップＳ１５の処理を行う制御部１１）と、複数の放送信号情報のいずれかが選択される際の選択頻度を計測する計測手段（例えば、図５のステップＳ１６の処理を行う制御部１１）とを含み、付与手段は、同一の選局番号に対応する複数の放送信号に対し、受信状態に対応して枝番号を付与し、複数の放送信号に対応している選局番号が指定されたことに対応して、受信手段は、選択頻度の最も高い放送信号情報に対応する放送信号を受信し、表示手段は、受信された放送信号の画面に重畳して、複数の放送信号情報を、枝番号に対応する順序であって、且つ、選択頻度の最も高い放送信号情報が選択された状態で、選択頻度の最も高い放送信号情報が選択されていることを示す選択情報とともに表示させる。
【００２１】
付与手段は、同一の選局番号に対応する複数の放送信号に対し、受信状態（例えば、Ｃ／Ｎ）に対応して枝番号を付与するようにすることができる。
【００２３】
本発明の受信装置は、受信手段によって受信された放送信号に対し、受信状態に対応してノイズ除去処理を行うノイズ除去手段（例えば、図２の映像信号処理部２０）をさらに含むことができる。
【００２４】
本発明によれば、受信方法が提供される。この受信方法は、同一の選局番号に対応する複数の放送信号に対し、複数の放送信号を区別するための枝番号を付与する付与ステップ（例えば、図４のステップＳ２）と、複数の放送信号に対応している選局番号が指定されたことに対応して、複数の放送信号にそれぞれ対応する枝番号を含む複数の放送信号情報を画面上に表示させる表示ステップ（例えば、図５のステップＳ１３）と、前記画面上に表示された、複数の放送信号にそれぞれ対応する複数の放送信号情報のいずれかを選択する選択ステップ（例えば、図５のステップＳ１４）と、複数の放送信号情報のうち、選択された放送信号情報に対応する放送信号を受信する受信ステップ（例えば、図５のステップＳ１５）と、複数の放送信号情報のいずれかが選択される際の選択頻度を計測する計測ステップ（例えば、図５のステップＳ１６）とを含み、付与ステップは、同一の選局番号に対応する複数の放送信号に対し、受信状態に対応して枝番号を付与し、複数の放送信号に対応している選局番号が指定されたことに対応して、受信ステップは、選択頻度の最も高い放送信号情報に対応する放送信号を受信し、表示ステップは、受信された放送信号の画面に重畳して、複数の放送信号情報を、枝番号に対応する順序であって、且つ、選択頻度の最も高い放送信号情報が選択された状態で、選択頻度の最も高い放送信号情報が選択されていることを示す選択情報とともに表示させる。
【００２５】
なお、本発明のプログラムの請求項に記載の構成要件と、発明の実施の形態における具体例との対応関係は、上述した本発明の受信方法のものと同様であるので、その記載は省略する。
【００２６】
以下、本発明の一実施の形態である、地上デジタルテレビジョン放送を受信する受信装置の構成例について、図２を参照して説明する。この受信装置１０において、制御部１１には、ユーザの操作を受け付けて対応する操作コマンドを生成する操作入力部１２、制御用プログラムが記憶されているROM１３、および各種のデータを記憶するRAM１４が接続されている。また、制御部１１には、バス１５を介して、通信部１６乃至音声信号処理部２１が接続されている。
【００２７】
制御部１１は、ROM１３に記録されている制御プログラムを実行することにより、バス１５を介して受信装置１０を構成する各部を制御する。不揮発性媒体から成るRAM１４には、図３に示される、制御部１１によって生成される選局テーブル４１の他、各種のデータが保持される。
【００２８】
操作入力部１２は、リモートコントローラ（不図示）や受信装置１０の筐体外面等に設けられる操作キー等から成り、ユーザの操作を受け付けて、対応する操作信号を制御部１１に出力する。通信部１６は、例えば、TCP/IP(Transmission Control Protocol/Internet Protocol)等に基づき、他の電子装置（不図示）と所定のデータを通信する。
【００２９】
フロントエンド部１７は、アンテナ（不図示）から入力される放送信号から、制御部１１からの選局に対応するチャンネル（搬送波の物理周波数）のＴＳを抽出して、デマルチプレクサ１８に出力する。デマルチプレクサ１８は、フロントエンド部１７から入力されるＴＳから、番組の音声および映像に相当するＡＶ信号を分離してMPEGデコーダ１９に出力する。また、デマルチプレクサ１８は、ＴＳから、各ＴＳと搬送波周波数の対応等が記載されている変更周波数リスト・変更情報等を含むデータ信号を分離して、バス１５を介して制御部１１に出力する。MPEGデコーダ１９は、デマルチプレクサ１８から入力されたＡＶ信号をデコードし、その結果得られる映像信号および音声信号を、それぞれ映像信号処理部２２または音声信号処理部２１に出力する。
【００３０】
映像信号処理部２０は、MPEGデコーダ１９から入力された映像信号に対し、映像信号のＣ／Ｎに応じてノイズ除去を目的としたフィルタリング処理等を施すとともに、後段のモニタ３０に適合するフォーマットに変換する。音声信号処理部２１は、MPEGデコーダ１９から入力された音声信号に対し、所定の音声処理を行う。モニタ３０は、映像信号処理部２０からの映像信号に対応する映像を表示するとともに、音声信号処理部２１からの音声信号に対応する音声を出力する。
【００３１】
次に、図３は、RAM１４に保持される選局テーブルの一例を示している。この選局テーブル４１は、例えば、受信装置１０の初期設定としてユーザから設置地域（都道府県名等）が設定されたとき、RAM１４等に予め保持されている情報と、受信可能なＴＳを探索するために行われる初期スキャンに基づいて生成される。
【００３２】
選局テーブル４１には、設定された設置地域において受信可能と想定される各ＴＳについて、物理周波数、ＴＳ名、対応するリモコンの操作キーを示すリモートコントロールキーＩＤ（３桁番号）、対応するＴＳの種類を０乃至３の値で示すサービス種別、Ｃ／Ｎ(Carrier/Noise)、枝番号、および選択頻度の項目が設けられている。
【００３３】
設置地域において受信可能と想定されるＴＳとその物理周波数、ＴＳ名、リモートコントロールキーＩＤ、およびサービス種別は、RAM１４等に予め保持されている情報に基づいて選局テーブル４１に記載される。なお、これらの情報は、放送信号に多重化されて送信されているので、それを受信して用いてもよい。
【００３４】
３桁番号は、リモートコントロールキーＩＤおよびサービス種別を用いた次式に基づいて算出される。
３桁番号
＝サービス種別×３００＋リモートコントロールキーＩＤ×１０＋サービス種別＋１
【００３５】
サービス種別「０」は、テレビジョン型サービスを意味し、サービス種別「１」乃至「３」は、データ型サービスを意味する。なお、３桁番号の算出方法やサービス種別の詳細については、地上デジタルテレビジョン放送の規格書である「ARIB  TR-B14  第七編  ９．１．３」に記載されている。
【００３６】
Ｃ／Ｎは、初期スキャンの結果に基づいて記載される。なお、図３の例では、「良い」、「普通」、または「悪い」に分類されているが、Ｃ／Ｎのｄｂ値等を記載するようにしても良い。
【００３７】
枝番号は、同一のリモートコントロールキーＩＤが対応付けられている複数のＴＳに対して設定される。この枝番号設定処理について、図４のフローチャートを参照して説明する。ステップＳ１において、制御部１１は、同一のリモートコントロールキーＩＤに対して複数のＴＳが対応付けられているか否かを判定する。複数のＴＳが対応付けられていると判定された場合、処理はステップＳ２に進む。ステップＳ２において、制御部１１は、初期スキャン時のＣ／Ｎが良好なものから順に小さい番号を設定する。例えば、図３に示された例では、３種類のＴＳ（○○放送、テレビ△△、および□□テレビ）がリモートコントロールキーＩＤ「１」に対応し、○○放送のＣ／Ｎが「悪い」、テレビ△△のＣ／Ｎが「良い」、および□□テレビのＣ／Ｎが「普通」であるので、テレビ△△に枝番号１を設定し、□□テレビに枝番号２を設定し、○○放送に枝番号３を設定する。
【００３８】
図３に戻る。選択頻度は、同一のリモートコントロールキーＩＤが対応付けられている複数のＴＳに対するユーザの選局操作の数がカウントされ、カウントされた値の大きいものから順に番号が付与される。なお、選択頻度は、選局テーブル４１が生成された段階では記載されず、それ以降のユーザの選局操作に対応して随時更新される。例えば、図３に示された例では、○○放送、テレビ△△、および□□テレビのうち、○○放送が最も高い頻度で選局されていることを意味している。
【００３９】
次に、選局テーブル４１を用いる選局時の処理について、図５のフローチャートを参照して説明する。この選局時の処理は、例えばユーザがリモコンキー（不図示）を押下し、それに対応してリモコンから送信される制御信号を、受信装置１０が受信したときに開始される。
【００４０】
ステップＳ１１において、制御部１１は、選局テーブル４１を参照して、押下されたリモコンキーに対応するＴＳを特定する。ステップＳ１２において、制御部１１は、ステップＳ１１の処理で複数のＴＳが特定されたか否かを判定する。複数のＴＳが特定されたと判定された場合、処理はステップＳ１３に進む。ステップＳ１３において、制御部１１は、特定された複数のＴＳの３桁番号、枝番号、およびＴＳ名を、選局テーブル４１に記載されている選択頻度の順序に配置されて画面上に表示させる。さらに、画面上に、特定された複数のＴＳのいずれかを選択するためのカーソルを表示させて、ユーザに選択が促される。
【００４１】
例えば、リモコンの「１」キーが押下されて、図３の選局テーブル４１に示された３つのＴＳが特定された場合、図６に示すように、画面４１上に、選択頻度の高い順に上から、「０１１−２□□放送」、「０１１−１テレビ△△」、「０１１−３○○放送」が表示される。さらに、一番上の「０１１−２□□放送」を指示した状態でカーソル４２が表示される。
【００４２】
なお、図６に示されたように、ＴＳ名等の表示を選択頻度の高い順序で配置するのではなく、図７に示す画面の表示例のように、画面５１上にＴＳ名等の表示を枝番号の順序で配置して、カーソル５２の初期位置を、選択頻度の最も高い「０１１−２□□放送」を指示するようにしてもよい。
【００４３】
ステップＳ１４において、制御部１１は、画面４１上に表示された複数のＴＳのうち、いずれか１つが選択されるまで待機する。なお、この待機の期間、画面４１上にはリモコンの「１」キーが押下されたときに受信されていたＴＳに対応する映像が表示されている。あるいは、カーソル４１によって指示されている□□放送のＴＳを受信してその映像を表示するようにしてもよい。
【００４４】
ステップＳ１４において、画面４１上に表示された複数のＴＳのうちのいずれか１つが選択されたと判定された場合、処理はステップＳ１５に進む。ステップＳ１５において、制御部１１は、カーソル４１を用いて選択されたＴＳを受信してその映像を画面４１に表示させる。
【００４５】
ステップＳ１６において、制御部１１は、選択されたＴＳに対する選局操作数を１だけインクリメントする。そして、このインクリメントに対応し、適宜、選局テーブル４１の選択頻度の順位を更新する。
【００４６】
なお、ステップＳ１２において、ステップＳ１１の処理で複数のＴＳが特定されていない（すなわち、ステップＳ１１の処理で１つのＴＳが特定された）と判定された場合、処理はステップＳ１７に進む。ステップＳ１７において、制御部１１は、特定されたＴＳを受信してその映像を画面４１に表示させるとともに、特定されたＴＳの３桁番号およびＴＳ名を画面上に表示させる。以上で、選局時の処理の説明を終了する。
【００４７】
以上説明したように、選局時の処理によれば、同一のリモコンキーに対応する複数のＴＳ名等が、その時点までのユーザの選局頻度の高い順に表示され、さらに、カーソルが選局頻度の最も高いＴＳを指示した状態で表示されるので、選局頻度の最も高いＴＳを速やかに選択することができる。
【００４８】
ところで、ユーザによって選択されたＴＳは、必ずしもＣ／Ｎが良好であるとは限らないので、場合によっては映像にブロックノイズ等が発生し得る。このような場合、映像信号処理部２０においてＣ／Ｎに応じたフィルタ係数を用いてローパスフィルタリング処理等を施すようにする。これにより、映像のノイズが軽減されるので、ユーザに見易い映像と提供することができる。
【００４９】
なお、本明細書において、本発明のプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【００５０】
【図１】同一のリモコンキーに複数のＴＳが対応付けられている場合における、従来の表示画面の一例を示す図である。
【図２】本発明を適用した受信装置の構成例を示すブロック図である。
【図３】選局テーブルの一例を示す図である。
【図４】枝番号設定処理を説明するフローチャートである。
【図５】選局時の処理を説明するフローチャートである。
【図６】同一のリモコンキーに複数のＴＳが対応付けられている場合における、本発明の表示画面の一例を示す図である。
【図７】同一のリモコンキーに複数のＴＳが対応付けられている場合における、本発明の表示画面の一例を示す図である。
【符号の説明】
【００５１】
１０  受信装置，  １１  制御部，１２  操作入力部，  １７  フロントエンド部，  １８  デマルチプレクサ，  ４１  選局テーブル
【図１】
0004525043.tif 000002
【図２】
0004525043.tif 000003
【図３】
0004525043.tif 000004
【図４】
0004525043.tif 000005
【図５】
0004525043.tif 000006
【図６】
0004525043.tif 000007
【図７】
0004525043.tif 000008